(57)【特許請求の範囲】
【請求項１】
基材と、基材の表面に印刷された印刷層と、基材の裏側の一部に接着層を備え、商品から剥離可能な粘着ラベルであって、前記接着層は接着強度が相対的に強い強粘着部と、接着強度が相対的に弱い弱粘着部により形成され、接着層における強粘着部と弱粘着部の面積比が７０：３０〜３０：７０の範囲となるように形成され、さらに、前記接着層の縁部分を強粘着部により構成し、前記接着層の強粘着部が形成された縁部分を除く中央部分において、該縁部分の形状とそれぞれ略相似に形成された複数の弱粘着部と複数の強粘着部が外側から内側へと交互に配置されたことを特徴とする粘着ラベル。
【請求項２】
前記強粘着部に対する前記弱粘着部の接着強度が、単位面積当たり６０〜９０％であることを特徴とする請求項１に記載の粘着ラベル。
【発明の詳細な説明】
【技術分野】
【０００１】
本発明は、商品に貼着されて商品の関連情報を表示するためのＰＯＰラベル等として利用可能な粘着ラベルに関する。
【背景技術】
【０００２】
従来、商品の内容をより分かりやすくするとともに、アイキャッチ効果を高めて商品訴求力を向上させる目的で、表面には商品関連情報や宣伝広告を表示し、裏面には接着層を形成した粘着ラベルを、商品容器の一部であるキャップ部分や本体部分に貼り付けて展示販売することが行われている。
【０００３】
このようなＰＯＰ用の粘着ラベルにおいて、商品関連情報や広告を表示する表示部を目立つように大きくすると、ラベルの一部が商品から突出する状態で貼着されることになるため（図６）、突出部分の接着層を予め糊殺し処理を施し、あるいは、当該部分には接着層を最初から形成しないことにより、突出した部分が他の商品や物品に意図せず付着することを防いでいる（特許文献１、２）。
【０００４】
このように、ラベルの一部の接着層を糊殺し処理し、あるいは、接着層を最初から形成しない場合、ラベル全体の接着力が相対的に低下するため、商品に貼り付けられる前にラベルが剥離台紙から剥がれてしまうケースがある。また、複数のラベルの表裏面を部分的に重なりあうように互いを貼付して連結した帯状ラベル体を形成した場合、ラベル同士が離間するという問題もある。
【０００５】
また、ラベルの接着力が弱い場合、商品から剥がれやすいという問題もある。特に、ＰＯＰラベルを介して商品が陳列用フックに吊り下げ展示される場合、商品の自重によってラベルには常に下へと引っ張られる力が加わるため、ラベルの接着力が弱いと、ラベルが剥離して商品が脱落するおそれがあった。
【０００６】
そこで、剥離台紙や商品からラベルが剥がれてしまうことを防ぐために、接着層の接着強度を高めることが考えられるが、そもそもこれらのＰＯＰラベルの多くは商品の使用時には剥がされることを前提に貼り付けられており、接着強度が高くなればなるほど、商品からの剥離が困難となってしまう。特に、ラベルを剥離した後に、接着剤等の粘着物の一部が商品自体に付着したまま残り、その部分から商品が汚れて外観を損なうという問題もあった。
【先行技術文献】
【特許文献】
【０００７】
【特許文献１】特開２００８−１９１５２２
【特許文献２】実用新案登録第３１７７２８３号
【発明の概要】
【発明が解決しようとする課題】
【０００８】
そこで本発明は、従来の粘着ラベルのかかる欠点を克服し、商品への貼着前には剥離台紙やラベル同士の接着性を損なわず、商品への貼着後も吊り下げ展示などで剥がれるおそれもなく、且つ、商品からきれいに剥離することができ商品に粘着物を残さない粘着ラベルの提供をその課題とするものである。
【課題を解決するための手段】
【０００９】
本発明は、上記課題を解決するものであり、基材と、基材の表面に印刷された印刷層と、基材の裏側の少なくとも一部に接着層を備える粘着ラベルであって、前記接着層は接着強度が相対的に強い強粘着部と、接着強度が相対的に弱い弱粘着部により形成され、接着層における強粘着部と弱粘着部の面積比が７０：３０〜３０：７０の範囲となるように形成されていることを特徴とする粘着ラベルである。
【発明の効果】
【００１０】
本発明にかかる粘着ラベルは、接着層における強粘着部と弱粘着部の面積比が７０：３０〜３０：７０の範囲となるように形成されていることにより、展示や輸送時に必要な接着性を維持しつつ、商品からの剥離時には粘着物が商品に残ることなくきれいに剥がすことができる。
【図面の簡単な説明】
【００１１】
【図１】（Ａ）本発明にかかる粘着ラベルの強粘着部と弱粘着部の構成を示す図、（Ｂ）本発明にかかる粘着ラベルの第二実施態様の強粘着部と弱粘着部の構成を示す図
【図２】（Ｃ）本発明にかかる粘着ラベルの第三実施態様の強粘着部と弱粘着部の構成を示す図、（Ｄ）第四実施態様の強粘着部と弱粘着部の構成を示す図
【図３】（Ｅ）本発明にかかる粘着ラベルの第五実施態様の強粘着部と弱粘着部の構成を示す図、（Ｆ）第六実施態様の強粘着部と弱粘着部の構成を示す図
【図４】（Ｇ）本発明にかかる粘着ラベルの第七実施態様の強粘着部と弱粘着部の構成を示す図、（Ｈ）第八実施態様の強粘着部と弱粘着部の構成を示す図
【図５】（Ｉ）本発明にかかる粘着ラベルの第九実施態様の強粘着部と弱粘着部の構成を示す図
【図６】本発明にかかる粘着ラベルを商品に貼着した状態をあらわす図。
【発明を実施するための形態】
【００１２】
以下、本発明の粘着ラベルの実施態様を、図面に基づいて具体的に説明する。なお、本発明はこれら実施態様に何ら制約されるものではない。
【００１３】
本発明に係る粘着ラベル１は、基材１０と、基材１０の表面に印刷された印刷層１１と、基材１０の裏側の一部を構成する接着層１２と、基材１０の裏面において接着層１２を除いた部分を構成する非接着部１３により構成される。以下、各部について詳述する。
【００１４】
本発明に係る粘着ラベル１を構成する基材１０は、ＰＯＰラベルに一般的に使用されるものであればよく、例えば、紙、合成紙、またはポリエチレンテレフタレート、ポリプロピレンなどの樹脂フィルム等を適宜使用することができる。また、これら基材は、銀等を蒸着し、印刷面をフィルムを用いて貼り合わせた層状のものを用いることもできる。かかる基材１０は、粘着ラベル１を商品の容器等に貼着けた時に、商品から突出する部分において自立するだけのコシを有することが望ましく、その厚みとしては少なくとも５０μｍ程度有することが好ましい。また、その形状については特に制限されず、印刷される情報量や訴求効果に応じて適宜形状を選択することができる。
【００１５】
基材１０の表面に設けられた印刷層１１には、粘着ラベル１を貼着する対象商品の商品関連情報や広告が印刷されている。かかる印刷層１１は、一般的な印刷方法及び材料（インキ等）にて形成することができる。  
【００１６】
基材１０の裏面に設けられた接着層１２は、ＰＯＰラベルに一般的に使用される接着剤であって、貼着される商品から粘着ラベルを剥離可能なものであればよく、基材１０の材質に応じて、アクリル系樹脂、シリコーン系樹脂、酢酸ビニル系樹脂や、スチレン−ブタジエン共重合樹脂、天然ゴムなどのゴム系樹脂等が適用可能である。
【００１７】
基材１０の裏面に設けられた非接着部１３は、基材１０の裏面全体に接着剤層を形成した後、接着層１２を残して糊殺し処理を施すことにより形成することができる。あるいは、非接着部１３に相当する部分には当初より接着剤層を形成せずに、基体１０自体が露出するように形成してもよい。かかる接着層１２と非接着部１３の面積比は、商品に対する十分な接着力が確保できる範囲であれば、任意に決めることができる。
【００１８】
接着層１２は、強粘着部１２ａと弱粘着部１２ｂにより構成されている。これらのうち、強粘着部１２ａはその接着強度が相対的に強く、また、弱粘着部１２ｂはその接着強度が相対的に弱くなるように形成されている。かかる強粘着部１２ａに対する弱粘着部１２ｂの接着強度の好ましい割合としては、単位面積当たり６０〜９０％が好ましく、さらに好ましくは８０％である。
【００１９】
接着強度の相対的な強弱は、強粘着部１２ａと弱粘着部１２ｂに施す接着剤の量により調整することができる。例えば、弱粘着部１２ｂの接着剤の量を強粘着部１２ａの接着剤に対して所定の割合となるように形成することで、弱粘着部１２ｂの接着強度を相対的に弱くすることができる。
【００２０】
強粘着部１２ａおよび弱粘着部１２ｂの接着剤量の調整は以下の方法により行うことができる。具体的には、弱粘着部１２ｂ全体を強粘着部１２ａと同様に糊付けした後、弱粘着部１２ｂの一部（全体の１０〜４０％）に糊殺しを行い、糊殺しを行っていない接着面が弱粘着部１２ｂ全体の６０〜９０％となるようにすれば、強粘着部１２ａに対する弱粘着部１２ｂの接着剤量が単位面積当たり６０〜９０％となる。あるいは、強粘着部１２ａのみ全面糊付けを行い、弱粘着部１２ｂには接着面が弱粘着部１２ｂ全体の６０〜９０％となるように網掛け状に糊付けを行ってもよい。
【００２１】
接着層１２において、強粘着部１２ａと弱粘着部１２ｂが各々占有する面積の比率を所定の範囲となるように形成することが好ましく、具体的には両者の面積比が７０：３０〜３０：７０の範囲となるように形成することが好ましい。強粘着部１２ａと弱粘着部１２ｂの面積比を上記範囲とすることにより、展示や輸送時に必要な接着性を維持しつつ、商品からの剥離時には粘着物が商品に残ることなくきれいに剥がすことが可能となる。以下に、本発明の粘着ラベルの接着層１２を構成する強粘着部１２ａと弱粘着部１２ｂの態様について、図１により説明する。
【００２２】
図１〜５は、粘着ラベルを構成する基材１０を裏面側から見た図である。これらの実施態様では、基材１０の上部の１／２以上が非接着部１３を構成し、非接着部１３の下側のその他の部分に接着層１２が設けられている。また、非接着部１３には、商品吊り下げ用のフックを挿入するための吊り下げ穴１４が設けられている。
【００２３】
図１（Ａ）の第一実施態様の粘着ラベル１は、接着層１２の縁部分が強粘着部１２ａにより構成され、かかる縁部分を除く接着層１２の中央部分が弱粘着部１２ｂにより構成されている。かかる構成において、強粘着部１２ａは厳密に接着層１２の縁部分に沿って同一の幅で形成されている必要はなく、たとえば、本実施態様のようにその一部が突出している場合は、当該突出分を幅広に形成してもよく、また、その一部が凹んでいる場合は、当該凹んだ分を狭く形成してもよい。
【００２４】
強粘着部１２ａが形成された縁部分を除く接着層１２の中央部分は、図１（Ａ）のようにその全面を弱粘着部１２ｂにより構成しても良いが、以下に説明する実施態様のように、複数の弱粘着部１２ｂと複数の強粘着部１２ａの両方、あるいはそのいずれか一方が繰り返し規則的に配置されるように形成してもよい。
【００２５】
図１（Ｂ）〜図２（Ｄ）の態様は、強粘着部１２ａが形成された縁部分を除く接着層１２の中央部分において、複数の強粘着部１２ａと複数の弱粘着部１２ｂが交互に配置されたものである。具体的には、（Ｂ）の第二実施態様は、強粘着部１２ａが形成された縁部分を除く中央部分に、複数の弱粘着部１２ｂと複数の強粘着部１２ａが横縞模様を形成するように交互に配置されている。また、（Ｃ）の第三実施態様では、強粘着部１２ａが形成された縁部分を除く中央部分に、複数の弱粘着部１２ｂと複数の強粘着部１２ａが縦縞模様を形成するように交互に配置されている。また、（Ｄ）の第四実施態様では、強粘着部１２ａが形成された縁部分を除く中央部分に、複数の弱接着部１２ｂと複数の強粘着部１２ａが斜め縞模様を形成するように交互に配置されている。
【００２６】
図３（Ｅ）の第五実施態様では、強粘着部１２ａが形成された縁部分を除く接着層１２の中央部分に、略正方形に形成された複数の弱粘着部１２ｂが縦横所定の間隔を空けて繰り返し現れるように配置されている。また、（Ｆ）の第六実施態様では、強粘着部１２ａが形成された縁部分を除く中央部分には弱粘着部１２ｂが形成されており、さらにその中に略円形に形成された複数の強粘着部１２ａが縦横所定の間隔を空けて繰り返し現れるように配置されている。
【００２７】
また、図４（Ｇ）の第七実施態様は、強粘着部１２ａが形成された縁部分を除く接着層１２の中央部分に、それぞれ縁部分と略相似に形成された複数の弱粘着部１２ｂと複数の強粘着部１２ａが中央部分の外側から内側にかけて交互に配置されている。また、（Ｈ）の第八実施態様では、強粘着部１２ａが形成された縁部分を除く中央部分に、縁部分と略相似の渦巻き状に形成された弱粘着部１２ｂが形成されている。
【００２８】
さらに、図５（Ｉ）の第九実施態様は、接着層１２の縁部分を強粘着部１２ａにより構成することなく、接着層１２の全面において略円形に形成された複数の強粘着部１２ａが縦横所定の間隔を空けて繰り返し現れるように配置し、それ以外の部分を弱粘着部１２ｂとしたものである。
【００２９】
以上説明した実施態様のものは、いずれも強粘着部１２ａの弱粘着部１２ｂに対する面積率が７０：３０〜３０：７０の範囲になるように形成されている。これらの態様のうち、接着層１２の縁部分を強粘着部１２ａにより構成したもの（Ａ〜Ｈ）は、接着層１２の周縁部がよりしっかりと商品に貼着されるため、剥離台紙等や商品から粘着ラベルが不用意に剥がれることを防ぐことができる。
【００３０】
また、これらの態様のうち、強粘着部１２ａが形成された縁部分を除く中央部分が、複数の弱粘着部１２ｂと複数の強粘着部１２ａの両方、あるいはそのいずれか一方が繰り返し規則的に配置されるように形成したもの（Ｂ〜Ｈ）は、かかる構成により、強粘着部１２ａが形成された縁部分を除く中央部分にも強粘着部１２ａが一定の範囲で設けられて接着性に優れ、さらに、強粘着部１２ａの個々の占有面積は限定されているため、商品からの剥離性を損なうこともなく、好ましい。  
【００３１】
さらに、これらの態様のうち、強粘着部１２ａが形成された縁部分を除く中央部分に、縁部分と略相似に形成された弱粘着部１２ｂと強粘着部１２ａが外側から内側にかけて交互に配置されたもの（Ｇ）は、強粘着部１２ａ同士の間に弱粘着部１２ｂが介在することにより強粘着部１２ａの連続性が途切れ、これにより剥離性が優れるとともに、商品への粘着物の残りを効果的に防止することができる。
【符号の説明】
【００３２】
１  …  …  粘着ラベル
２  …  …  容器
１０  …  …  基材
１１  …  …  印刷層
１２  …  …  接着層
１２ａ  …  …  強粘着部
１２ｂ  …  …  弱粘着部
１３  …  …  非接着部
１４  …  …  吊り下げ穴
【図１】
0006736288.tif 000002
【図２】
0006736288.tif 000003
【図３】
0006736288.tif 000004
【図４】
0006736288.tif 000005
【図５】
0006736288.tif 000006
【図６】
0006736288.tif 000007